(57)【特許請求の範囲】
【請求項１】
電圧を供給するための配線ケーブルに並列に接続された複数の発光装置と、
前記配線ケーブルを介して、前記複数の発光装置に電圧を供給する電源装置と、
前記電源装置に接続され、前記電源装置からの電圧を、前記配線ケーブルを介して、前記複数の発光装置に供給すると共に前記複数の発光装置の発光動作を個別に制御する点灯制御装置と、を有し
前記複数の発光装置のそれぞれは、
発光部と、
前記電源装置から電圧が供給されることで起動して前記発光部の点灯制御を行う発光制御部と、を有する装飾照明装置。
前記点灯制御装置は、前記複数の発光装置のそれぞれに設けられた前記発光部の点灯パターンを示す第１の発光情報を発光装置別に生成し、該第１の発光情報を前記電源装置からの電圧に重畳して前記複数の発光装置のそれぞれに送信し、
前記発光制御部は、前記点灯制御装置から前記第１の発光情報を受信すると、前記起動により開始した前記発光部の点灯制御に代えて、該受信した第１の発光情報に基づく点灯制御を行う、
前記複数の発光装置のそれぞれは、前記発光部の点灯パターンを示す第２の発光情報が格納された記憶部を更に有し、
前記発光制御部は、前記電源装置から電圧が供給されることで起動すると、前記記憶部に格納された前記第２の発光情報を読み出し、読み出した前記第２の発光情報に従って前記発光部の点灯制御を行う、装飾照明装置。
【請求項２】
前記点灯制御装置は、前記複数の発光装置のそれぞれについて、発光装置別に、該発光装置を識別するための識別情報と該発光装置の前記発光部の点灯パターンを示す前記第１の発光情報とを含む駆動情報を生成し、該発光装置別に生成した駆動情報を前記電源装置からの電圧に重畳し、
前記複数の発光装置のそれぞれは、自装置を識別するための識別情報を保持しており、
前記発光制御部は、前記点灯制御装置から前記駆動情報を受信すると、受信した前記駆動情報に含まれている識別情報が自装置に保持した識別情報に一致すれば、受信した前記駆動情報に含まれている前記第１の発光情報に従って前記発光部の点灯制御を行う、請求項１に記載の装飾照明装置。
【請求項３】
抵抗とコンデンサとが直列に接続された回路を更に有し、
前記回路は、前記配線ケーブルの終端に接続される、請求項１または２に記載の装飾照明装置。
【請求項４】
外部の電源装置から電圧が供給される配線ケーブルに、他の発光装置と並列に接続される発光装置であって、
発光部と、
前記電源装置から電圧が供給されることで起動して前記発光部の点灯制御を行う発光制御部と、を有し、
前記発光制御部は、前記発光部の点灯パターンを示す第１の発光情報を、外部の点灯制御装置から前記配線ケーブルを介して受信すると、前記起動により開始した前記発光部の点灯制御に代えて、該受信した第１の発光情報に基づく点灯制御を行い、
前記発光装置は、前記発光部の点灯パターンを示す第２の発光情報が格納された記憶部を更に有し、
前記発光制御部は、前記電源装置から電圧を受けて起動すると、前記記憶部に格納された前記第２の発光情報を読み出し、読み出した前記第２の発光情報に従って前記発光部の点灯制御を行う、発光装置。
【請求項５】
自装置を識別するための識別情報を格納する記憶部を更に有しており、
前記発光制御部は、前記第１の発光情報と制御対象となる発光装置を示す識別情報とを含む駆動情報を、前記外部の点灯制御装置から前記配線ケーブルを介して受信すると、受信した前記駆動情報に含まれている識別情報が前記記憶部に記憶された識別情報に一致すれば、前記起動により開始した前記発光部の点灯制御に代えて、該受信した第１の発光情報に基づく点灯制御を行う、請求項４に記載の発光装置。
【請求項６】
外部の電源装置から電圧が供給される配線ケーブルに、他の発光装置と並列に接続される発光装置の発光動作制御方法であって、
発光制御部が、前記電源装置から電圧が供給されることで起動して、自装置内の発光部の点灯制御を行い、
前記発光制御部が、前記発光部の点灯パターンを示す第１の発光情報を、外部の点灯制御装置から前記配線ケーブルを介して受信し、前記起動により開始した前記発光部の点灯制御に代えて、該受信した第１の発光情報に基づく点灯制御を行い、
前記発光装置は、前記発光部の点灯パターンを示す第２の発光情報が格納された記憶部を有し、
前記発光制御部が、前記電源装置から電圧を受けて起動すると、前記記憶部に格納された前記第２の発光情報を読み出し、読み出した前記第２の発光情報に従って前記発光部の点灯制御を行う、発光動作制御方法。
【請求項７】
前記発光制御部が、前記第１の発光情報と制御対象となる発光装置を示す識別情報とを含む駆動情報を、前記外部の点灯制御装置から前記配線ケーブルを介して受信すると、受信した前記駆動情報に含まれている識別情報が前記記憶部に記憶された識別情報に一致すれば、前記起動により開始した前記発光部の点灯制御に代えて、該受信した第１の発光情報に基づく点灯制御を行う、請求項６に記載の発光動作制御方法。
【発明の詳細な説明】
【技術分野】
【０００１】
本発明は、立ち木やフェンスなどに飾られる電飾照明装置に関する。
【背景技術】
【０００２】
立ち木やフェンスなどに飾られる電飾照明装置は、点灯制御装置と、複数の発光装置とを有する。電飾照明装置では、点灯制御装置からそれぞれの発光装置に対して一本ずつ配線されており、点灯制御装置は、これらの配線を介して各発光装置の発光動作を個別に制御する。各発光装置は、赤色に発光する赤色発光ダイオード（以下、「赤色ＬＥＤ（Light Emitting Diode）」という）、青色に発光する青色発光ダイオード（以下、「青色ＬＥＤ」という）、緑色に発光する緑色発光ダイオード（以下、「緑色ＬＥＤ」という）を有する。点灯制御装置が、各発光装置の赤色ＬＥＤ、青色ＬＥＤ、緑色ＬＥＤのそれぞれの調光や点滅のタイミングなどを個別に制御することよって、各ＬＥＤによる多彩な光の演出がなされる。
【０００３】
しかし、上述のように点灯制御装置からそれぞれの発光装置に対して一本ずつ配線される構成の場合、発光装置の数が増加すると、点灯制御装置から発光装置への配線数も増加してしまう。例えば、上述で示した構成を用いて点灯制御装置が１００個の発光装置の発光動作を個別に制御しようとすると、配線数は、｛各色ＬＥＤに繋がる配線（３本）＋電圧を供給する配線（１本）｝×発光装置の数（１００個）＝４００本になる。
【０００４】
配線の数が増えると、敷設時やメンテナンス時の作業が増加してしまうという問題があるばかりか実現自体が困難である。そこで、２本の配線だけで複数の発光装置を個別に制御できる電飾照明装置が提案されている（特許文献１参照）。
【０００５】
図７は特許文献１に記載された電飾照明装置の構成を示すブロック図である。
【０００６】
図７に示す電飾照明装置は、点灯制御装置１１と複数の発光装置２１とを有する。点灯制御装置１１は、予め発光動作に関する異なる複数の点灯パターンが設定されており、これら点灯パターンのうちからユーザにより指定されたパターンに従って各発光装置２１の発光動作を制御する。発光装置２１は、赤色ＬＥＤ２１Ａ、緑色ＬＥＤ２１Ｂ、および青色ＬＥＤ２１Ｃを有しており、点灯制御装置１１からの指示にしたがって、それぞれのＬＥＤ２１を発光させる。
【０００７】
以下に、特許文献１に記載された電飾照明装置を構成する点灯制御装置１１と発光装置２１との構成を詳細に説明する。
【０００８】
まず、点灯制御装置１１の構成を詳細に説明する。点灯制御装置１１は、電源部１２、ＣＰＵ（Central Processing Unit）１４、および出力ドライバ１６を有する。
【０００９】
電源部１２は、商用の交流電圧を直流電圧に変換し、変換した直流電圧を出力ドライバ１６とＣＰＵ１４に供給する。
【００１０】
ＣＰＵ１４は、電源部１２からの直流電圧を受けて、以下のような、配線ケーブルを使用した駆動情報の送信処理を行なう。ＣＰＵ１４は、ユーザによって設定された点灯パターンに従って、駆動情報を生成し、生成した駆動情報を出力ドライバ１６に送信する。駆動情報は、発光装置２１を識別するための識別情報と発光装置２１の発光動作を制御するための発光情報を含む。
【００１１】
出力ドライバ１６は、電源部１２から供給された直流電圧を、配線ケーブル２０を介して各発光装置２１に供給する。また、出力ドライバ１６は、ＣＰＵ１４からの駆動情報を受信すると、受信した駆動情報を電源部１２から供給された直流電圧に重畳する、出力ドライバ１６は、配線ケーブル２０を介して重畳した駆動情報を各発光装置２１に供給する。
【００１２】
次に、発光装置２１の構成を詳細に説明する。発光装置２１は、発光素子部２３、電源生成部２４、信号検出部２５、論理演算部２６、および駆動ドライバ２７を有する。
【００１３】
発光装置２１には、予め自装置の識別情報が割り当てられている。
【００１４】
電源生成部２４は、配線ケーブル２０を介して点灯制御装置１１から直流電圧を受け取り、発光素子部２３を点灯させるための駆動電圧を生成する。電源生成部２４は生成した駆動電圧を駆動ドライバ２７に供給する。
【００１５】
信号検出部２５は、電源生成部２４と同様に、配線ケーブル２０を介して直流電圧を受け取り、直流電圧に重畳された駆動情報を検出する。
【００１６】
論理演算部２６は、信号検出部２５で検出された駆動情報から、識別情報と発光情報を抽出する。抽出した識別情報が自装置に割り当てられている識別情報と一致すると、論理演算部２６は、抽出した発光情報を駆動ドライバ２７に送信する。
【００１７】
駆動ドライバ２７は、論理演算部２６からの発光情報に基づいて発光素子部２３を発光させる。
【特許文献１】特開５００４−６０６４４５号公報
【発明の開示】
【発明が解決しようとする課題】
【００１８】
しかしながら、上述した電飾照明装置には、以下のような問題がある。
【００１９】
図８は、点灯制御装置１１からそれぞれの発光装置２１に対して送信される駆動情報の一例を説明するための図である。
【００２０】
点灯制御装置１１から各発光装置２１に対して駆動情報は一定の通信間隔で送信される。ユーザによって点灯パターンが指定されても、発光装置２１は、点灯パターンが指定されてから自装置宛ての駆動情報を受信するまでは、発光動作を行わず、無点灯状態を維持する。点灯制御装置１１から離れた位置に設けられた発光装置２１では、点灯パターンが指定されてから自装置宛ての駆動情報を受信するまでに要する時間が長い。そのため、発光装置２１の数によっては、発光動作するまでの待ち時間が非常に長くなってしまうという問題点があった。
【００２１】
例えば、発光装置２１の数が５００個あり、点灯制御装置１１が０．３秒ごとに各発光装置２１に駆動情報を順に送信すると仮定する。この場合、自装置宛ての駆動情報を最後に受信した発光装置２１の待ち時間は１５０秒になる。
【００２２】
なお、通信間隔を短くすると、発光動作するまでの待ち時間を短くすることは可能であるが、この場合は、以下のような問題が新たに生じる。
【００２３】
通信間隔は、駆動情報が送信されている区間（以下、「通信区間」という）と駆動情報が送信されていない区間（「通常区間」という）からなる。通信区間と通常区間のそれぞれで、点灯制御装置１１から各発光装置２１に供給される直流電圧が異なる。通信区間における直流電圧は通常区間における直流電圧よりも低くなるので、通信区間と通常区間を合わせた全体の区間では、直流電圧が周期的に変動する。発光強度は、供給される直流電圧にほぼ比例するので、通常区間が短いと、繰り返し周波数が短くなり、一般に、ちらつきとして認識されやすくなるとともに全体の明るさが暗くなる。ちらつきの認識を困難にし、明るさが暗くなるのを防止するためには、ある程度の長さの通信区間を確保する必要がある。
【００２４】
本発明の目的は、上記課題を解決することのできる、電飾照明装置、発光装置、および発光動作制御方法を提供することにある。
【課題を解決するための手段】
【００２５】
上記目的を達成するために、本発明の装飾照明装置は、
電圧を供給するための配線ケーブルに並列に接続された複数の発光装置と、
前記配線ケーブルを介して、前記複数の発光装置に電圧を供給する電源装置と、を有し、
前記複数の発光装置のそれぞれは、
発光部と、
前記電源装置から電圧が供給されることで起動して前記発光部の点灯制御を行う発光制御部と、を有する。
【００２６】
また、本発明の発光装置は、
外部の電源装置から電圧が供給される配線ケーブルに、他の発光装置と並列に接続される発光装置であって、
発光部と、
前記電源装置から電圧が供給されることで起動して前記発光部の点灯制御を行う発光制御部と、を有する。
【００２７】
また、本発明の発光動作制御方法は、
外部の電源装置から電圧が供給される配線ケーブルに、他の発光装置と並列に接続される発光装置の発光動作制御方法であって、
発光制御部が、前記電源装置から電圧が供給されることで起動して、自装置内の発光部の点灯制御を行う。
【発明の効果】
【００２８】
本発明によれば、発光装置は、電源装置からの電圧が供給された時点で、発光部の点灯制御を実施するので、点灯までの待ち時間が長くなる、といった問題は生じない。したがって、ユーザは、電源投入後すぐに、全ての発光装置による点灯動作を鑑賞することができる。
【発明を実施するための最良の形態】
【００２９】
本発明を実施するための形態について図面を参照して詳細に説明する。
【００３０】
（第１の実施形態）
図１は本発明の第１の実施形態における装飾照明装置の構成を示すブロック図である。装飾照明装置は、電源装置１、点灯制御装置２、および複数の発光装置３ｉ（ｉは２以上の自然数とする）を有する。
【００３１】
電源装置１は、電源入力ケーブル４を介して商用電源（不図示）に接続され、また、電源出力ケーブル５を介して点灯制御装置２に接続される。点灯制御装置２は配線ケーブル６を介して各発光装置３ｉに接続される。
【００３２】
電源装置１は、平滑回路（不図示）や３端子レギュレータ（不図示）などを備える装置である。平滑回路は交流電圧から直流電圧に変換する回路である。３端子レギュレータは入力端子に印加された電圧を所定の電圧に変換して出力端子から出力するレギュレータである。
【００３３】
電源装置１には、商用電源から電源入力ケーブル４を介して交流電圧が供給される。電源装置１は、商用電源から供給された交流電圧を直流電圧に変換し、変換した直流電圧を点灯制御装置２に供給する。例えば、１００Ｖの交流電圧を商用電源から供給された電源装置１は、１００Ｖの交流電圧を５Ｖの直流電圧に変換し、電源出力ケーブル５を介して、５Ｖの直流電圧を点灯制御装置２に供給する。
【００３４】
点灯制御装置２は、電源装置１からの直流電圧を発光装置３ｉに供給する。また、点灯制御装置２は、発光装置３ｉの発光動作を制御する。
【００３５】
点灯制御装置２には、識別情報が予め記憶されている。識別情報は、それぞれの発光装置３ｉを識別するための情報である。また、点灯制御装置２は、発光装置３ｉの発光順序、発光光、発光色などを示す複数の点灯パターンが予め記憶されている。ユーザは、複数の点灯パターンの中からいずれかの点灯パターンを、入力部（不図示）を介して指定する。点灯制御装置２は、点灯パターンの入力を検出すると、検出した点灯パターンにしたがって、発光情報と識別情報とを作成する。発光情報は、発光装置３ｉの発光動作を制御するための情報である。そして、点灯制御装置２は、それぞれの発光情報とそれぞれの識別情報との組み合わせからなる駆動情報を生成する。
【００３６】
点灯制御装置２は、駆動情報を生成すると、配線ケーブル６を介して、生成した駆動情報を発光装置３ｉに送信する。
【００３７】
発光装置３ｉには、それぞれ異なる識別情報が割り当てられる。発光装置３ｉは自動演出機能を有する。自動演出機能は、発光装置３ｉが、自律的に点灯また発光強度を調整する機能である。以下に、自動演出機能を有する発光装置３ｉの動作を詳細に説明する。
【００３８】
発光装置３ｉは、点灯制御装置２からの直流電圧を受けて起動し、乱数を発生させる。そして、発光装置３ｉは、発生された乱数から発光情報を生成し、生成した発光情報に基づいて発光する。ここでは、発光情報は、８ビットのＲ値、８ビットのＧ値、および８ビットのＢ値で構成される。各ビットは「０」と「１」の２進数で表現される。例えば、発光装置３ｉは、点灯制御装置２からの直流電圧により起動し、「０」と「１」の乱数を発生させることによって、「０１０１０００１・・・」というような２４ビット（８ビット×３色）からなる発光情報を生成することができる。なお、先頭から８ビットがＲ値であり、それに続く８ビットがＧ値である。最後の８ビットがＢ値である。また、発光装置３ｉは発光情報を自発的に更新し発光色や発光強度を時間と共に変化させる。
【００３９】
上記自動演出機能によれば、発光装置３ｉの発光動作は、起動時点から自装置宛ての識別情報を含む駆動情報を点灯制御装置２から受信するまで継続される。発光装置３ｉは、点灯制御装置２から自装置宛ての駆動情報を受信すると、それ以後、受信した駆動情報に含まれる発光情報にしたがって、発光する。
【００４０】
図２は、第１の実施形態における点灯制御装置２の構成を示すブロック図である。
【００４１】
点灯制御装置２は、点灯制御部５１および変調部５２を有する。
【００４２】
記憶部（不図示）には、識別情報が予め記憶されている。また、記憶部には、複数の点灯パターンが予め記憶されている。
【００４３】
点灯制御部５１は、発光装置３ｉの点灯動作を制御する制御部であり、例えば制御用のマイクロコンピュータ（以下、「マイコン」という）である。点灯制御部５１は、入力部を介して点灯パターンの入力を検出すると、検出した点灯パターンにしたがって、発光情報と識別情報とを作成する。そして、点灯制御部５１は、それぞれの発光情報とそれぞれの識別情報との組み合わせからなる駆動情報を生成する。
【００４４】
変調部５２は、電源装置１から直流電圧の供給を受けて、発光装置３ｉに直流電圧を供給する。また、変調部５２は、点灯制御部５１から駆動情報を受信すると、受信した駆動情報を直流電圧に重畳する。そして、変調部５２は、重畳した駆動情報を発光装置３ｉに送信する。
【００４５】
駆動情報を直流電圧に重畳する回路は、ＮＰＮ型のトランジスタとＰＮＰ型のトランジスタとを含むスイッチ回路により構成することができる。以下、スイッチ回路について詳細に説明する。
【００４６】
まず、スイッチ回路に含まれるＮＰＮ型のトランジスタの構成を説明する。ベース端子は点灯制御部５１の出力端子に接続される。エミッタ端子はＰＮＰ型のトランジスタのエミッタ端子に接続され、コレクタ端子は電源装置１の出力端子に接続される。
【００４７】
点灯制御部５１からの駆動情報がハイレベルになると、ＮＰＮ型のトランジスタがオンの状態になる。ＮＰＮ型のトランジスタがオンの状態では、電源装置１からの直流電圧が発光装置３ｉに供給される。一方、点灯制御部５１からの駆動情報がロウレベルになると、ＮＰＮ型のトランジスタがオフの状態になる。ＮＰＮ型のトランジスタがオフの状態では、電源装置１からの直流電圧が発光装置３ｉに供給されない。
【００４８】
次に、ＰＮＰ型のトランジスタの構成を説明する。ベース端子は点灯制御部５１の出力端子に接続される。エミッタ端子はＮＰＮ型のトランジスタのエミッタ端子に接続され、コレクタ端子はグランドに接続される。
【００４９】
点灯制御部５１からの駆動情報がロウレベルになると、ＰＮＰ型のトランジスタがオンの状態になる。ＰＮＰ型のトランジスタがオンの状態では、グランドレベルの電圧が発光装置３ｉに供給される。一方、点灯制御部５１からの駆動情報がハイレベルになると、ＰＮＰ型のトランジスタがオフの状態になる。ＰＮＰ型のトランジスタがオフの状態では、グランドレベルの電圧は発光装置３ｉに供給されない。
【００５０】
図３は第１の実施形態における発光装置３ｉの構成を示すブロック図である。発光装置３ｉは、赤色ＬＥＤ６０、緑色ＬＥＤ６１、青色ＬＥＤ６２、および制御部６８を有する。本実施形態では、赤色ＬＥＤ６０、緑色ＬＥＤ６１、青色ＬＥＤ６２の３つのＬＥＤで発光部が構成される。
【００５１】
赤色ＬＥＤ６０のカソードは制御部６８に接続され、赤色ＬＥＤ６０のアノードは抵抗を介して、配線ケーブル６からの電圧供給ライン６Ａに接続される。緑色ＬＥＤ６１のカソードは制御部６８に接続され、緑色ＬＥＤ６１のアノードは抵抗を介して電圧供給ライン６Ａに接続される。青色ＬＥＤ６２のカソードは制御部６８に接続され、青色ＬＥＤ６２のアノードは抵抗を介して電圧供給ライン６Ａに接続される。
【００５２】
制御部６８は、電圧供給ライン６Ａに接続され、また、グランドからのグランドライン６Ｂに接続される。コンデンサ６６の一端は電圧供給ライン６Ａに接続され（接続点Ａとする）、コンデンサ６６のもう一端はグランドライン６Ｂに接続される。ダイオード６７のアノードは配線ケーブル６側に接続され、ダイオード６７のカソードは接続点Ａ側に接続される。
【００５３】
制御部６８は、記憶部６３、乱数発生部６４、および発光制御部６５を内部に備えるコンピュータであり、例えば制御用のマイコンである。制御部６８には、自装置の識別情報が予め格納される。制御部６８は、点灯制御装置２から直流電圧を受けると起動し、乱数を発生する。制御部６８は、発生した乱数から発光情報を生成し、生成した発光情報に基づいてＬＥＤ６０〜６２に流れる電流をＰＷＭ（Pulse Width Modulation）制御する。
【００５４】
次に、制御部６８を構成する、記憶部６３、乱数発生部６４、および発光制御部６５のそれぞれについて詳細に説明する。
【００５５】
発光制御部６５は、電圧供給ライン６Ａに接続され、また、グランドからのグランドライン６Ｂに接続される。また、発光制御部６５は記憶部６３および乱数発生部６４に接続される。また、発光制御部６５は、赤色ＬＥＤ６０のカソード、緑色ＬＥＤ６１のカソード、および青色ＬＥＤ６２のカソードにそれぞれ接続される。
【００５６】
記憶部６３は、制御部６８内のメモリーである。記憶部６３には、自装置の識別情報が予め記憶される。
【００５７】
乱数発生部６４は、制御部６８が乱数発生部プログラムを実行することにより提供される機能部である。乱数発生部６４は、発光制御部６５からの指示により、乱数発生プログラムを実行し、乱数を発生する。
【００５８】
発光制御部６５は、制御部６８がＬＥＤ６０〜６２の発光動作を制御するための制御プログラムを実行することにより提供される機能部である。発光制御部６５は、点灯制御装置２から直流電圧を受けると起動し、乱数発生部６４に乱数を発生するよう指示する。続いて、発光制御部６５は、乱数発生部６４で発生させた乱数から発光情報を生成する。そして、発光制御部６５は、生成した発光情報に基づいてＬＥＤ６０〜６２に流れる電流をＰＷＭ（Pulse Width Modulation）制御する。
【００５９】
ここで、ＰＷＭについて説明する。発光制御部６５は、一周期内で、直流電圧を供給する時間（以下、「ＯＮ時間」という）と、直流電圧を供給しない時間（以下、「ＯＦＦ時間」という）とを合計した時間を一定にし、ＯＮ時間を変化させることによって、ＯＮ時間とＯＦＦ時間との比を制御する。これをパルス幅変調（ＰＷＭ）という。
【００６０】
発光装置３ｉの発光強度は、直流電流の大きさにほぼ比例するので、ＯＮ時間が変化すると、平均した供給電流が変化し、それに応じて発光強度も変わることになる。ＯＮ時間が長い場合に、ＬＥＤの発光強度は高くなり、ＯＮ時間が短い場合には、ＬＥＤの発光強度は低くなる。
【００６１】
また、発光制御部６５は、点灯制御装置２から駆動情報を受信すると、駆動情報から識別情報と発光情報とを抽出する。発光制御部６５は、抽出した識別情報と記憶部６３に記憶されている識別情報とを比較する。一致していると判断すれば、発光制御部６５は、自動演出機能を停止し、抽出した発光情報に基づいてＰＷＭ制御を行う。
【００６２】
なお、通信区間では、点灯制御装置２から供給される直流電圧が低下する。この場合、接続点Ａの電圧がコンデンサ６６の電圧よりも低くなると、コンデンサ６６に蓄積されていた電荷が放出されて、発光制御部６５に電圧が供給される。その際、コンデンサ６６の電荷が配線ケーブル６にも放出されてしまうことがあるが、ダイオード６７の挿入により、配線ケーブル６への電荷の放出を防ぐことができる。
【００６３】
また、本実施形態では、電飾照明装置は反射防止回路６９を有する。反射防止回路６９は配線ケーブル６の終端に接続される。反射防止回路６９では、抵抗とコンデンサとが直列に接続される。これによれば、抵抗により駆動情報の反射を防止することができる。また、コンデンサにより抵抗に不要且つ有害な直流電圧が供給されることを防止できる。
【００６４】
図４は、第１の実施形態における実施形態における駆動情報のデータ構造を示す図である。
【００６５】
駆動情報は、３ビットのスタートビット、２４ビットの発光情報、８ビットの識別情報で構成される。発光情報は、ＲＧＢ各色の発光強度を色毎に指定する２４ビット（８ビット／色×３色）の情報である。識別情報は、８ビットである。本実施形態では、発光情報は２４ビット（８ビット／色）とするが、発光する色のバリエーションに応じて発光情報のビット数を適宜変更してもよい。例えば、より多彩な色を発光させる場合に、識別情報は４８ビット（１６ビット／色×３色）にしてもよい。同様に、本実施形態では、識別情報は８ビットとしているが、発光装置の台数などの条件に応じて識別情報のビット数を変更してもよい。
【００６６】
次に、図５を参照して、第１の実施形態における装飾照明装置の動作を詳細に説明する。
【００６７】
図５は、第１の実施形態における装飾照明装置の動作を示すフローチャートである。装飾照明装置の処理は、自動演出機能によって点灯する処理と、点灯制御装置２からの発光情報にしたがって点灯する処理との２つの処理に分けられる。それぞれの処理を図５Ａおよび図５Ｂを参照して説明する。
【００６８】
図５Ａは自動演出機能によって自律的に点灯する処理を示すフローチャートである。
【００６９】
発光制御部６５は、点灯制御装置２から直流電圧を受けて起動し、乱数発生部６４に乱数を発生するよう指示する（ステップ１００）。乱数発生部６４は、発光制御部６５からの指示により、乱数を発生させる（ステップ１０１）。
【００７０】
発光制御部６５は、乱数発生部６４で発生させた乱数から発光情報を生成する（ステップ１０２）。そして、発光制御部６５は、生成した発光情報に基づいてＬＥＤ６０〜６２に流れる電流をＰＷＭ制御する（ステップ１０３）。
【００７１】
次に、図５Ｂを参照して、点灯制御装置２からの発光情報にしたがって点灯する処理を詳細に説明する。
【００７２】
図５Ｂは、点灯制御装置２からの発光情報にしたがって点灯する動作を示すフローチャートである。
【００７３】
点灯制御部５１は、ユーザによって指定された点灯パターンにしたがって、識別情報と発光情報を作成し、それぞれの発光情報とそれぞれの識別情報との組み合わせからなる駆動情報を生成する（ステップ２００）。点灯制御部５１は生成した駆動情報を変調部５２に送信する（ステップ２０１）。
【００７４】
変調部５２は、点灯制御部５１から駆動情報を受信すると、受信した駆動情報を直流電圧に重畳し（ステップ２０２）、重畳した駆動情報を発光装置３ｉに送信する。
【００７５】
発光制御部６５は、点灯制御装置２から駆動情報を受信すると、受信した駆動情報から識別情報と発光情報とを抽出する（ステップ２０３）。発光制御部６５は、抽出した識別情報と記憶部６３に記憶されている識別情報とを比較する（ステップ２０４）。
【００７６】
ステップ２０４の比較処理で、一致していないと判断すれば、処理を終了する。ステップ２０４の比較処理で、一致していると判断すれば、発光制御部６５は、自動演出を停止するとともに、抽出した発光情報に基づいてＬＥＤ６０〜６２に流れる電流をＰＷＭ制御する（ステップ２０５）。
【００７７】
以上説明したように、本実施形態によれば、発光装置は、電源装置からの電圧が供給された時点で、発光部の点灯制御を実施するので、点灯までの待ち時間が長くなる、といった問題は生じない。したがって、ユーザは、電源投入後すぐに、全ての発光装置による点灯動作を鑑賞することができる。
【００７８】
具体的に言うと、発光装置３ｉでは、発光制御部６５が、電圧の供給を受けてから、点灯制御装置２から駆動情報を受信するまでの間は、自装置内で生成した発光情報に従って、ＬＥＤ６０〜６２の点灯制御を行う。したがって、待ち時間が発生しない。
【００７９】
本実施形態では、点灯制御装置２からの直流電圧を検出したときに乱数発生部が発生する乱数をもとに発光情報を生成する例を示したが、本発明はこれに限定されるものではない。例えば、発光装置３ｉに、予め発光情報を定めて記憶するようにしてもよい。
【００８０】
この場合、発光装置３ｉは、点灯制御装置２からの直流電圧により起動し、内部に記憶された発光情報基づいてＬＥＤ６０〜６２に流れる電流をＰＷＭ制御する。その後、発光装置３ｉは、点灯制御装置２から自装置宛ての駆動情報を受信すると、駆動情報に含まれる発光情報に基づいてＰ基づいてＬＥＤ６０〜６２に流れる電流をＰＷＭ制御する。
【００８１】
これによれば、発光装置３ｉでの乱数の発生させる乱数発生部が不要となるので、発光装置３ｉのコストを削減することができる。また、例えば発光制御部のマイコンのプログラムで乱数を発生させる場合にはプログラムの開発コストを削減することができる。
【００８２】
また、本実施形態では、点灯制御装置２にバイポーラトランジスタが搭載される例を示したが、本発明はこれに限定されるものではない。例えば、点灯制御装置２にＦＥＴ（Field effect transistor）が搭載されるようにしてもよい。
【００８３】
また、識別情報に複数の発光装置を特定して選択するコードを予め定めておくことにより、点灯制御装置２が全ての発光装置３ｉの中から複数の特定した発光装置を指定し、指定した発光装置の発光動作を制御するようにしてもよい。これによれば、例えば３つおきに発光装置３ｉを同時に発光させることや、５つおきに発光装置３ｉを同時に発光させることが可能となる。
【００８４】
また、本実施形態によれば、配線ケーブルが２本で済むため、装飾照明装置の設置が容易になり、また、見栄えのよい装飾照明装置が実現できる。
【００８５】
また、本実施形態では、発光装置３ｉには３つのＬＥＤが搭載されている例を示したが、本発明はこれに限定されるものではない。例えば、発光装置３ｉに一つのＬＥＤが搭載されていてもよいし、四つ以上のＬＥＤが搭載されていてもよい。さらに、発光素子はＬＥＤに限定するものではなく、電球やＥＬ（Electro Luminescence）など直流電流によって点灯する発光素子であればよい。
【００８６】
（第２の実施形態）
図６は第２の実施形態の装飾照明装置の構成を示すブロック図である。装飾照明装置は、電源装置１と複数の発光装置３ｉ（ｉは２以上の自然数とする）を有する。
【００８７】
第２の実施形態の装飾照明装置は、電源装置１が発光装置３ｉに直接接続されている点において第１の実施形態と異なる。
【００８８】
電源装置１は、電源ケーブル７を介して商用電源（不図示）に接続され、また、配線ケーブル６を介してそれぞれの発光装置３ｉに接続される。
【００８９】
電源装置１は、第１の実施形態と同様の構成である。電源装置１は、電源ケーブル７を介して、商用電源から供給された交流電圧を直流電圧に変換し、変換した直流電圧を発光装置３ｉのそれぞれに供給する。
【００９０】
複数の発光装置３ｉは、第１の実施形態と同様の制御部６８（例えば、マイコン）を備える。記憶部６３には、自装置の識別情報が予め記憶される。乱数発生部６４は、発光制御部６５からの指示により、乱数発生プログラムを実行し、乱数を発生する。
【００９１】
発光制御部６５は、電源装置１から直流電圧を受けると起動し、乱数発生部６４に乱数を発生するよう指示する。続いて、発光制御部６５は、乱数発生部６４で発生させた乱数から発光情報を生成する。そして、発光制御部６５は、生成した発光情報に基づいてＬＥＤ６０〜６２に流れる電流をＰＷＭ制御する。
【００９２】
本実施形態では、以下の処理によって、発光装置３ｉによる自動演出が可能となっている。
【００９３】
記憶部６３には、予め発光情報が記憶されている。発光制御部６５は、電源装置１から直流電圧を受けると起動し、記憶部６３に記憶された発光情報に基づいて、ＬＥＤ６０〜６２に流れる電流をＰＷＭ制御する。
【００９４】
以上説明したように、本実施形態によれば、発光装置は、電源装置からの電圧が供給された時点で、発光部の点灯制御を実施するので、点灯までの待ち時間が長くなる、といった問題は生じない。したがって、ユーザは、電源投入後すぐに、全ての発光装置による点灯動作を鑑賞することができる。また、点灯制御装置が不要となるので、装飾照明装置のコストを削減することができる。
【図面の簡単な説明】
【００９５】
【図１】本発明の第１の実施形態における装飾照明装置の構成を示すブロック図である。
【図２】第１の実施形態における点灯制御装置２の構成を示すブロック図である。
【図３】第１の実施形態における発光装置３ｉの構成を示すブロック図である。
【図４】第１の実施形態における実施形態における駆動情報のデータ構造を示す図である。
【図５Ａ】自動演出機能によって自律的に点灯する処理を示すフローチャートである。
【図５Ｂ】点灯制御装置２からの発光情報にしたがって点灯する動作を示すフローチャートである。
【図６】第２の実施形態の装飾照明装置の構成を示すブロック図である。
【図７】特許文献１に記載された電飾照明装置の構成を示すブロック図である。
【図８】点灯制御装置１１から各発光装置２１に対して送信される駆動情報の一例を説明するための図である。
【符号の説明】
【００９６】
１    電源装置
２    点灯制御装置
３    発光装置
５１  点灯制御部
５２  変調部
６０  赤色ＬＥＤ
６１  緑色ＬＥＤ
６２  青色ＬＥＤ
６３  記憶部
６４  乱数発生部
６５  発光制御部
６６  コンデンサ
６７  抵抗
６８  制御部
６９  反射防止回路
ステップ  １００〜１０３，２００〜２０５
【図１】
0005224332.tif 000002
【図２】
0005224332.tif 000003
【図３】
0005224332.tif 000004
【図４】
0005224332.tif 000005
【図５Ａ】
0005224332.tif 000006
【図５Ｂ】
0005224332.tif 000007
【図６】
0005224332.tif 000008
【図７】
0005224332.tif 000009
【図８】
0005224332.tif 000010